(57)【要約】【課題】洗剤または柔軟剤または芳香剤をより効率的に利用することができるネットワークシステム、サーバまたは情報処理方法を提供する。【解決手段】洗濯機２００と、洗濯機２００に予め投入される複数種類の洗剤または柔軟剤または芳香剤の情報の入力を受け付けて、それらの組み合わせ毎の調合配分を洗濯機２００に送信するとともに、それらの組み合わせに対応する香りを選択可能に洗濯機２００に出力させるサーバ１００とを備えるネットワークシステム１が提供される。【選択図】図２
2019181057.tif 000002
【特許請求の範囲】
【請求項１】
洗濯機と、
洗濯機に予め投入される複数種類の洗剤または柔軟剤または芳香剤の情報の入力を受け付けて、それらの組み合わせ毎の調合配分を前記洗濯機に送信するとともに、それらの組み合わせに対応する香りを選択可能に前記洗濯機に出力させるサーバとを備えるネットワークシステム。
【請求項２】
前記サーバは、前記洗剤または柔軟剤または芳香剤毎に、洗濯物に投入されるタイミングも前記洗濯機に提供する、請求項１に記載のネットワークシステム。
【請求項３】
前記洗濯機は、香りの強さを受け付けて、
前記サーバは、香りの強さと、洗濯する衣類の量と、に対応する洗剤または柔軟剤または芳香剤の投入量を前記洗濯機に送信する、請求項１または２に記載のネットワークシステム。
【請求項４】
洗濯機と通信するための通信インターフェイスと、
前記洗濯機に予め投入される複数種類の洗剤または柔軟剤または芳香剤の情報の入力を受け付けて、前記通信インターフェイスを介して、それらの組み合わせ毎の調合配分を前記洗濯機に送信するとともに、それらの組み合わせに対応する香りを選択可能に前記洗濯機に出力させるプロセッサとを備えるサーバ。
【請求項５】
洗濯機に予め投入される複数種類の洗剤または柔軟剤または芳香剤の情報の入力を受け付けるステップと、
それらの組み合わせ毎の調合配分を前記洗濯機に送信するステップと、
それらの組み合わせに対応する香りを選択可能に前記洗濯機に出力させるステップと、を備えるサーバの情報処理方法。
【発明の詳細な説明】
【技術分野】
【０００１】
本発明は、洗剤または柔軟剤または芳香剤を利用する洗濯機の技術に関する。
【背景技術】
【０００２】
従来から、洗剤または柔軟剤または芳香剤を利用する洗濯機のための技術が知られている。たとえば、特開２０１３−２５５６１２号公報（特許文献１）には、洗濯機システムが開示されている。特許文献１によると、通信ネットワークを介して通信可能な洗濯機及び洗濯機情報サーバを備えた洗濯機システムであって、サーバは、複数の洗濯動作シーケンス情報、複数の洗剤情報及び柔軟剤情報を蓄積し、少なくとも１つを通信ネットワークを介して提供することが可能であり、洗濯機は、通信ネットワークを介してサーバと通信するための通信手段と、洗濯動作シーケンス、洗剤情報及び柔軟剤情報のうち少なくとも１つを表示するための表示部と、を備え、通信手段により、サーバから洗濯動作シーケンス情報、洗剤情報及び柔軟剤情報のうち少なくとも１つを取得する。
【先行技術文献】
【特許文献】
【０００３】
【特許文献１】特開２０１３−２５５６１２号公報
【発明の概要】
【発明が解決しようとする課題】
【０００４】
本発明の目的は、洗剤または柔軟剤または芳香剤をより効率的に利用することができるネットワークシステム、サーバまたは情報処理方法を提供することにある。
【課題を解決するための手段】
【０００５】
本発明のある態様に従うと、洗濯機と、洗濯機に予め投入される複数種類の洗剤または柔軟剤または芳香剤の情報の入力を受け付けて、それらの組み合わせ毎の調合配分を洗濯機に送信するとともに、それらの組み合わせに対応する香りを選択可能に洗濯機に出力させるサーバとを備えるネットワークシステムが提供される。
【発明の効果】
【０００６】
以上のように、本発明によれば、洗剤または柔軟剤または芳香剤をより効率的に利用することができるネットワークシステム、サーバまたは情報処理方法が提供される。
【図面の簡単な説明】
【０００７】
【図１】第１の実施の形態にかかるネットワークシステム１の全体構成を示すイメージ図である。
【図２】第１の実施の形態にかかるネットワークシステム１の動作概要を示すイメージ図である。
【図３】第１の実施の形態にかかるサーバ１００の構成を表わすブロック図である。
【図４】第１の実施の形態にかかる洗剤情報１２１を示すイメージ図である。
【図５】第１の実施の形態にかかる柔軟剤芳香剤情報１２２を示すイメージ図である。
【図６】第１の実施の形態にかかる香りメニュー１２３を示すイメージ図である。
【図７】第１の実施の形態にかかる機器データ１２４を示すイメージ図である。
【図８】第１の実施の形態にかかるユーザ設定情報１２５を示すイメージ図である。
【図９】第１の実施の形態にかかる洗濯機２００の構成を表わすブロック図である。
【図１０】第１の実施の形態にかかる通信端末３００の構成を表わすブロック図である。
【図１１】第１の実施の形態にかかるメインの情報処理を示すフローチャートである。
【図１２】第１の実施の形態にかかる洗剤・柔軟剤・芳香剤の登録処理を示すフローチャートである。
【図１３】第１の実施の形態にかかる洗剤の登録画面を示すイメージ図である。
【図１４】第１の実施の形態にかかる柔軟剤および芳香剤の登録画面を示すイメージ図である。
【図１５】第１の実施の形態にかかる香りの種類の選択画面を示すイメージ図である。
【図１６】第１の実施の形態にかかる香りの強さの選択画面を示すイメージ図である。
【図１７】第１の実施の形態にかかる手動による香り設定画面を示すイメージ図である。
【図１８】第１の実施の形態にかかる洗濯機２００のおまかせコースの画面を示すイメージ図である。
【図１９】第１の実施の形態にかかるサーバ１００の「洗い」運転処理を示すフローチャートである。
【図２０】第１の実施の形態にかかる洗濯機２００の音声メッセージを示すイメージ図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステムの全体構成＞
【０００９】
まず、図１を参照して、本実施の形態にかかるネットワークシステム１の全体構成について説明する。ネットワークシステム１は、主たる装置として、ユーザ宅に置かれる洗濯機２００と、洗濯機２００に洗濯サポートサービスを提供するためのサーバ１００とを含む。本実施の形態においては、スマートフォンなどの通信端末３００を利用して、サーバ１００が提供する洗濯サポートサービスに必要な情報を登録することもできる。
＜ネットワークシステムの動作概要＞
【００１０】
次に、図１と図２とを参照して、本実施の形態にかかるネットワークシステム１の動作概要について説明する。あらかじめサーバ１００には、洗剤や柔軟剤や芳香剤の好ましい組み合わせ毎に、それぞれの調合割合や、混ぜ合わせにより実現される香りが登録されている。
【００１１】
そして、本実施の形態においては、ユーザが、洗濯機２００の１または複数の洗剤用タンクのそれぞれに１または複数の洗剤を入れておいたり、１または複数の柔軟剤用タンクのそれぞれに１または複数の柔軟剤を入れておいたり、１または複数の芳香剤タンクのそれぞれに１または複数の芳香剤を入れておいたりすることができる。これによって、ユーザは、洗濯するたびに毎回、容器から洗剤や柔軟剤や芳香剤を洗濯槽に投入することなく、洗濯機２００によって洗濯物の量などに応じて自動的に洗剤や柔軟剤や芳香剤が投入される。
【００１２】
そして特に、本実施の形態においては、ユーザが、洗濯機２００の洗剤や柔軟剤や芳香剤を入れた際に、洗濯機２００または通信端末３００を介して洗濯機２００に貯められた１または複数の洗剤の種類や１または複数の柔軟剤の種類や１または複数の芳香剤の種類を登録する。
【００１３】
サーバ１００は、洗濯機２００に貯められた１または複数の洗剤の種類や１または複数の柔軟剤の種類や１または複数の芳香剤の種類に基づいて、１または複数の洗剤や１または複数の柔軟剤や１または複数の芳香剤を混ぜ合わせることによって実現できる１または複数の香りを抽出し、当該香りの種類と、１または複数の洗剤や１または複数の柔軟剤や１または複数の芳香剤の配合割合や投入タイミングなど、を洗濯機２００に提供する。
【００１４】
これによって、洗濯機２００は、洗濯を実行する際に、混ぜ合わせによって実現できる香りの種類を選択可能に表示したり音声出力したりすることができ、ユーザは、洗濯を実行する前に、気分によって香りの種類を選択することができる。以下では、このような機能を実現するためのネットワークシステム１について詳細に説明する。
＜サーバ１００の構成＞
【００１５】
図３を参照して、ネットワークシステム１を構成する電気機器制御用のサーバ１００の構成の一態様について説明する。本実施の形態にかかるサーバ１００は、主たる構成要素として、ＣＰＵ（Central Processing Unit）１１０と、メモリ１２０と、操作部１４０と、通信インターフェイス１６０とを含む。
【００１６】
ＣＰＵ１１０は、メモリ１２０に記憶されているプログラムを実行することによって、サーバ１００の各部を制御する。たとえば、ＣＰＵ１１０は、メモリ１２０に格納されているプログラムを実行し、各種のデータを参照することによって、後述する各種の処理を実行する。
【００１７】
メモリ１２０は、各種のＲＡＭ（Random  Access  Memory）、各種のＲＯＭ（Read-Only  Memory）などによって実現され、サーバ１００に内包されているものであってもよいし、サーバ１００の各種インターフェイスに着脱可能なものであってもよいし、サーバ１００からアクセス可能な他の装置の記録媒体であってもよい。メモリ１２０は、ＣＰＵ１１０によって実行されるプログラムや、ＣＰＵ１１０によるプログラムの実行により生成されたデータ、洗剤情報１２１、柔軟剤芳香剤情報１２２、香りメニュー１２３、機器データ１２４、ユーザ設定情報１２５、その他の本実施の形態にかかる香りサービスに利用されるデータベースなどを記憶する。
【００１８】
ここで、図４を参照して、本実施の形態にかかる洗剤情報１２１は、洗剤の種類毎に、洗濯する衣類の量と、水の量と、洗剤の量と、洗いの時間と、すすぎの時間と、脱水の時間との対応関係を格納する。
【００１９】
図５を参照して、柔軟剤芳香剤情報１２２は、柔軟剤や芳香剤の種類毎に、洗濯する衣類の量と、香りの強さと、柔軟剤や芳香剤の量との対応関係を格納する。柔軟剤芳香剤情報１２２は、投入するためのタイミングや投入順序を示す情報も格納する。
【００２０】
図６を参照して、香りメニュー１２３は、ユーザに提案する香りのメニュー毎の、柔軟剤や芳香剤や洗剤の組み合わせ方や配合率などを格納する。ＣＰＵ１１０は、香りメニュー１２３を参照することによって、洗濯機２００に予めストックされた柔軟剤や芳香剤や洗剤の種類に基づいて、ユーザに複数の香りメニューを選択可能に提案する。
【００２１】
図７を参照して、機器データ１２４は、本サービスに登録されている洗濯機２００毎に、機器ＩＤと、機種名と、ユーザ名と、ユーザＩＤと、通信アドレスなどの対応関係を格納する。
【００２２】
図８を参照して、ユーザ設定情報１２５は、ユーザによって入力された過去の各種設定情報を格納する。ＣＰＵ１１０は、ユーザ設定情報１２５を参照することによって、ユーザ毎の香りに関する好みや洗濯の好みを予測することができる。
【００２３】
図３に戻って、操作部１４０は、サービスの管理者などからの操作を受け付けて、各種の命令をＣＰＵ１１０に入力する。
【００２４】
通信インターフェイス１６０は、ＣＰＵ１１０からのデータを、インターネット、キャリア網、ルータなどを介して洗濯機２００などの他の装置に送信する。逆に、通信インターフェイス１６０は、インターネット、キャリア網、ルータなどを介して他の装置からのデータを受信して、ＣＰＵ１１０に受け渡す。
＜洗濯機２００の構成＞
【００２５】
次に、図９を参照して、ネットワークシステム１を構成するユーザ宅の洗濯機２００の構成の一態様について説明する。洗濯機２００は、主たる構成要素として、ＣＰＵ２１０と、メモリ２２０と、ディスプレイ２３０と、操作部２４０と、通信インターフェイス２６０と、スピーカ２７０と、マイク２８０と、機器駆動部２９０とを含む。
【００２６】
ＣＰＵ２１０は、メモリ２２０あるいは外部の記憶媒体に記憶されているプログラムを実行することによって、洗濯機２００の各部を制御する。
【００２７】
メモリ２２０は、各種のＲＡＭや、各種のＲＯＭなどによって実現され、洗濯機２００に内包されているものであってもよいし、洗濯機２００の各種インターフェイスに着脱可能なものであってもよいし、洗濯機２００からアクセス可能な他の装置の記録媒体であってもよい。メモリ２２０は、ＣＰＵ２１０によって実行される機器駆動プログラムや対話プログラムやその他のプログラムや、ＣＰＵ２１０によるプログラムの実行により生成されたデータ、サーバ１００や他のサーバから受信したデータ、操作部２４０やマイク２８０を介して入力されたデータなどを記憶する。
【００２８】
ディスプレイ２３０は、ＣＰＵ２１０からの信号に基づいて、文字や画像などを出力する。ディスプレイ２３０は、複数のＬＥＤライトなどであってもよい。
【００２９】
操作部２４０は、ボタン、タッチパネルなどによって実現され、ユーザからの洗濯開始命令やモード設定命令などの各種命令を受け付けて、当該命令をＣＰＵ２１０に入力する。なお、ディスプレイ２３０と操作部２４０とは、タッチパネルを構成してもよい。
【００３０】
通信インターフェイス２６０は、無線ＬＡＮ通信あるいは有線ＬＡＮなどの通信モジュールによって実現され、有線通信あるいは無線通信によってサーバ１００などの他の装置との間でデータをやり取りする。たとえば、ＣＰＵ２１０は、操作部２４０を介して受け付けた命令を通信インターフェイス２６０を介してサーバ１００に送信したり、サーバ１００からの洗濯開始命令やモード設定命令などの各種の命令を受け付けてＣＰＵ２１０に入力したりする。
【００３１】
スピーカ２７０は、ＣＰＵ２１０からの信号に基づいて、音声を出力する。たとえば、ＣＰＵ２１０は、メモリ２２０に予め登録された音声データやサーバ１００から受信した音声データをスピーカ２７０から出力する。マイク２８０は、音声を取得して音声データをＣＰＵ２１０に入力する。たとえば、ＣＰＵ２１０は、マイク２８０を介して受け付けたユーザからの音声をサーバ１００に送信する。このようにして、ＣＰＵ２１０は、マイク２８０を介して受け付けた音声命令を通信インターフェイス２６０を介してサーバ１００に送信したり、サーバ１００からの音声メッセージをスピーカ２７０に出力させたりする。
【００３２】
機器駆動部２９０は、モータやアクチュエータやヒータなど、洗濯機２００の主要な機能を実現する。たとえば、ＣＰＵ２１０によって制御される洗濯槽を回転させるモータや、洗剤や柔軟剤や芳香剤のタンクや、洗剤や柔軟剤や芳香剤を所定のタイミングで所定量だけ洗濯槽に投入するためのユニットなどを含む。
＜通信端末３００の構成＞
【００３３】
次に、図１０を参照して、ネットワークシステム１を構成するスマートフォンなどの通信端末３００の構成の一態様について説明する。通信端末３００は、主たる構成要素として、ＣＰＵ３１０と、メモリ３２０と、ディスプレイ３３０と、操作部３４０と、通信インターフェイス３６０と、スピーカ３７０と、マイク３８０などを含む。
【００３４】
ＣＰＵ３１０は、メモリ３２０あるいは外部の記憶媒体に記憶されているプログラムを実行することによって、通信端末３００の各部を制御する。
【００３５】
メモリ３２０は、各種のＲＡＭや、各種のＲＯＭなどによって実現される。メモリ３２０は、ＣＰＵ３１０によって実行されるプログラムや、ＣＰＵ３１０によるプログラムの実行により生成されたデータ、サーバから受信したデータ、操作部３４０を介して入力されたデータなどを記憶する。
【００３６】
ディスプレイ３３０は、ＣＰＵ３１０からの信号に基づいて、文字や画像などを出力する。ディスプレイ３３０は、単にライトであってもよい。
【００３７】
操作部３４０は、ボタン、タッチパネルなどによって実現され、ユーザからの命令を受け付けて、当該命令をＣＰＵ３１０に入力する。なお、ディスプレイ３３０と操作部３４０とは、タッチパネルを構成してもよい。
【００３８】
通信インターフェイス３６０は、無線ＬＡＮ通信あるいは有線ＬＡＮなどの通信モジュールによって実現される。通信インターフェイス３６０は、有線通信あるいは無線通信によってサーバ１００などの他の装置との間でデータを送受信する。
【００３９】
スピーカ３７０は、ＣＰＵ３１０からの信号に基づいて、音声を出力する。マイク３８０は、外部からの音声に基づいて音声信号を作成し、ＣＰＵ３１０に入力する。
＜情報処理方法＞
【００４０】
本実施の形態にかかる情報処理方法について説明する。図１１を参照して、まず、ユーザは、洗濯機２００の複数の貯留タンクのそれぞれに洗剤や柔軟剤や芳香剤を投入する（ステップＳ１０２）。ユーザは、洗濯機２００の操作部２４０または通信端末３００の操作部３４０を介して、貯留タンクに蓄えた洗剤や柔軟剤や芳香剤の種類や製品名を登録する（ステップＳ１１０）。サーバ１００は、洗剤や柔軟剤や芳香剤を混ぜ合わせて実現することができる香りの種類や、混ぜ合わせ方や、洗剤や柔軟剤や芳香剤の投入タイミングや投入順序などを洗濯機２００に提供する（ステップＳ１２０）。
【００４１】
ここで、図１２を参照して、登録処理について詳述する。ユーザは、洗濯機２００の操作部２４０または通信端末３００の操作部３４０を介して、洗剤用の貯留タンクに投入した洗剤の種類や製品名を入力する（ステップＳ１１２）。たとえば、図１３に示すように、通信端末３００のＣＰＵ３１０は、ディスプレイ３３０に、洗剤のメーカや商品名を受け付けるための画面を表示して、操作部３４０を介して洗剤のメーカや商品名の入力を受け付ける。
【００４２】
ユーザは、洗濯機２００の操作部２４０または通信端末３００の操作部３４０を介して、サーバ１００にアクセスすることによって、柔軟剤や芳香剤用の貯留タンクに蓄えた柔軟剤や芳香剤の種類や製品名を入力する（ステップＳ１１４）。たとえば、図１４に示すように、通信端末３００のＣＰＵ３１０は、ディスプレイ３３０に、柔軟剤や芳香剤のメーカや商品名を受け付けるための画面を表示して、操作部３４０を介して柔軟剤や芳香剤のメーカや商品名の入力を受け付ける。
【００４３】
通信端末３００のＣＰＵ３１０は、通信インターフェイス３６０を介して、入力された洗剤や柔軟剤や芳香剤のメーカや製品名をサーバ１００に送信する（ステップＳ１１６）。
【００４４】
サーバ１００のＣＰＵ１１０は、メモリ１２０を参照して、入力された洗剤に関する情報、たとえば洗剤情報１２１を読み出す（ステップＳ１１８）。ＣＰＵ１１０は、メモリ１２０を参照して、入力された柔軟剤や芳香剤に関する情報、たとえば柔軟剤芳香剤情報１２２を読み出す（ステップＳ１２２）。ＣＰＵ１１０は、香りメニュー１２３を参照して、入力された洗剤と柔軟剤と芳香剤で実現可能な香りを特定する（ステップＳ１２４）。香りの種類が多数ピックアップされた場合、サーバ１００のＣＰＵ１１０は、通信端末３００を介して、図１５に示すように、ユーザから、選択可能な個数だけの、香りの種類の選択命令を受け付けてもよい。選択可能な香りが５個の場合、ユーザは、ピックアップされた香りの中から、好きな５つの香りを選択する。
【００４５】
ＣＰＵ１１０は、通信インターフェイス１６０を介して、選択された香りに基づいて、配合情報と、各洗剤や柔軟剤や芳香剤の投入タイミングなどに関する情報、たとえば、洗剤情報１２１や柔軟剤芳香剤情報１２２や香りメニュー１２３など、を洗濯機２００に送信する（ステップＳ１２６）。
【００４６】
図１１に戻って、洗濯機２００のＣＰＵ２１０は、操作部２４０を介してユーザから、洗濯に関する各種の設定の入力を受け付ける（ステップＳ１３２）。ＣＰＵ２１０は、ディスプレイ２３０や操作部２４０を介して、選択のコースや、水の量、すすぎの回数、などの設定を受け付ける。特に、本実施の形態においては、図１６に示すように、ＣＰＵ２１０は、ディスプレイ２３０や操作部２４０を介して、香りの種類や、香りの強さなどを受け付ける。
【００４７】
洗濯機２００は、香りに関する詳細な指示を手動で受け付けてもよい。たとえば、ＣＰＵ２１０は、ディスプレイ２３０や操作部２４０を介して、図１７に示すように、柔軟剤や芳香剤の配合割合を手動で受け付けてもよい。なお、本実施の形態においては、ＣＰＵ２１０は、手動で受け付けた配合割合を、通信インターフェイス２６０を介して、サーバ１００へアップロードする。サーバ１００のＣＰＵ１１０は、ユーザや洗濯機２００に対応付けて、手動で受け付けた配合割合をユーザ設定情報１２５に蓄積する。
【００４８】
図１１に戻って、ＣＰＵ２１０は、操作部２４０を介して運転開始命令を受け付けると（ステップＳ１３４にてＹＥＳである場合）、投入されている洗濯物としての衣類の重量を計測する（ステップＳ１３６）。ＣＰＵ２１０は、洗剤情報１２１や柔軟剤芳香剤情報１２２や香りメニュー１２３を参照して、衣類の量に対応する洗剤の量や柔軟剤の量や芳香剤の量などを決定する（ステップＳ１３８）。
【００４９】
より詳細には、衣類量「12kg」、香り強度「中」、香り設定「Royal」の場合、ＣＰＵ２１０は、以下のように各種設定を行う。ＣＰＵ２１０は、柔軟剤芳香剤情報１２２を参照して、衣類の量に基づいて、必要な柔軟剤を40mlと設定する。ＣＰＵ２１０は、香りメニュー１２３を参照して、「Royal」の調合割合として、「柔軟剤C：柔軟剤D」＝「３：１」を取得する。これによって、ＣＰＵ２１０は、柔軟剤Cを30ml、柔軟剤Dを10mlに設定する。ＣＰＵ１１０は、柔軟剤芳香剤情報１２２を参照して、投入タイミングとして「すすぎ」運転時を設定する。
【００５０】
さらに、「Royal」には芳香剤Eも指定されている。ＣＰＵ２１０は、柔軟剤芳香剤情報１２２を参照して、衣類の量に基づいて、必要な芳香剤を120mlと設定する。ＣＰＵ２１０は、香りメニュー１２３で指定された倍率0.5をかけた60mlと設定する。ＣＰＵ２１０は、柔軟剤芳香剤情報１２２を参照して、投入タイミングとして「洗い」運転時を設定する。
【００５１】
図１１に戻って、ＣＰＵ２１０は、操作部２４０を介して、「おまかせ」コースを受け付けたか否かを判断する（ステップＳ１４０）。「おまかせ」コースを受け付けた場合（ステップＳ１４０にてＹＥＳである場合）、ＣＰＵ２１０は、洗剤情報１２１に基づいて、図１８に示すように、洗い時間、すすぎ時間、脱水時間を設定する（ステップＳ１４２）。ＣＰＵ２１０は、「洗い」運転を開始する（ステップＳ１５０）。
【００５２】
なお、「おまかせ」コースを受け付けなかった場合（ステップＳ１４０にてＮＯである場合）、ＣＰＵ２１０は、操作部２４０を介して、手動により各種の設定を受け付ける（ステップＳ１４４）。ＣＰＵ２１０は、「洗い」運転を開始する（ステップＳ１５０）。
【００５３】
以下、図１９を参照して、本実施の形態にかかる「洗い」運転の処理について説明する。ＣＰＵ２１０は、指定された量の洗剤を投入する（ステップＳ１５４）。ＣＰＵ２１０は、「洗い」運転時に投入すべき柔軟剤や芳香剤があるか否かを判断する（ステップＳ１５６）。ＣＰＵ２１０は、「洗い」運転時に投入すべき柔軟剤や芳香剤がある場合（ステップＳ１５６にてＹＥＳである場合）、当該柔軟剤や芳香剤を投入する（ステップＳ１５８）。
【００５４】
ＣＰＵ２１０は、「洗い」運転の設定時間が終了すると（ステップＳ１６０）、今回の「すすぎ」運転時に投入すべき柔軟剤や芳香剤があるか否かを判断する（ステップＳ１６２）。ＣＰＵ２１０は、「すすぎ」運転時に投入すべき柔軟剤や芳香剤がある場合（ステップＳ１６２にてＹＥＳである場合）、当該柔軟剤や芳香剤を投入する（ステップＳ１６４）。ＣＰＵ２１０は、「すすぎ」運転を開始する（ステップＳ１６６）。
【００５５】
ＣＰＵ２１０は、設定された回数のすすぎ運転が終了するまで、ステップＳ１６２からの処理を繰り返す。つまり、本実施の形態においては、柔軟剤や芳香剤に応じて、何回目のすすぎの時に柔軟剤や芳香剤を投入することが好ましいか、予め設定されている。すすぎ運転が終了すると（ステップＳ１６８）、ＣＰＵ２１０は、設定された時間の脱水運転を実行する（ステップＳ１７０）。ＣＰＵ２１０は、通信インターフェイス２６０を介して、今回の設定情報をサーバ１００にアップロードする（ステップＳ１７２）。サーバ１００のＣＰＵ１１０は、洗濯機２００からの各種のデータをユーザ設定情報１２５に蓄積する。
【００５６】
これによって、サーバ１００では、ユーザがどのような補正を行っているのか、水量はたりているのか、香りの好みはどのようなものなのか、手動で設定している香りの調合配分はどのような香りなのか、などを蓄積することができ、その結果、洗濯機２００や洗剤や柔軟剤や芳香剤の開発メーカなどが当該結果を把握したり今後の開発に利用したりすることが可能である。また、サーバ１００のＣＰＵ１１０は、ユーザの好みの香りや好みの処理を蓄積し、当該ユーザの次回以降の洗濯時に利用したりすることができる。
【００５７】
さらには、たとえば、図２０に示すように、ユーザが洗濯機２００をＯＮにした際や、洗濯が終わった際など様々な契機において、サーバ１００からのデータに基づいて、洗濯機２００がユーザへの語りかけを行うこともできる。その際、サーバ１００のＣＰＵ１１０は、ユーザ設定情報１２５を参照して、ユーザが興味をもつような情報を推測したり、各種のお勧め情報を洗濯機２００に提供したりすることができる。これによりユーザは、より有効に香りレシピを活用したり、新しい商品への購買意欲を高めたりすることが可能となる。
＜第２の実施の形態＞
【００５８】
上記の実施の形態においては、柔軟剤や芳香剤に関して投入タイミングが登録されていたが、洗剤に関しても、洗濯開始からすすぎまでの間で、詳細な投入タイミングや投入回数などが登録されていてもよい。
【００５９】
また、香りに対応付けて、２つの柔軟剤の割合や、芳香剤の倍率が登録されていたが、３つ以上の柔軟剤の割合が登録されてもよいし、芳香剤に関しても割合が登録されてもよいし、洗剤と柔軟剤と芳香剤の割合などが登録されていてもよい。
＜第３の実施の形態＞
【００６０】
上記の実施の形態のネットワークシステム１のサーバ１００や洗濯機２００や通信端末３００などの各装置の役割の一部または全部を他の装置が実行してもよい。より詳細には、サーバ１００の処理の一部または全部を洗濯機２００や通信端末３００が担ったり、洗濯機２００の機能の一部をサーバ１００や通信端末３００が担ったりしてもよい。たとえば、図１１のステップＳ１３８における洗剤や柔軟剤や芳香剤の量の計算などは、サーバ１００のＣＰＵ１１０が通信インターフェイス１６０を介して洗濯機２００から洗濯物の重量を取得することによって計算してもよい。あるいは、サーバ１００の役割を、クラウド上の多数のサーバによって分担して実現してもよい。
＜まとめ＞
【００６１】
上記の実施の形態においては、洗濯機２００と、洗濯機２００に予め投入される複数種類の洗剤または柔軟剤または芳香剤の情報の入力を受け付けて、それらの組み合わせ毎の調合配分を洗濯機２００に送信するとともに、それらの組み合わせに対応する香りを選択可能に洗濯機２００に出力させるサーバ１００とを備えるネットワークシステム１が提供される。
【００６２】
好ましくは、サーバ１００は、洗剤または柔軟剤または芳香剤毎に、洗濯物に投入されるタイミングも洗濯機２００に提供する。
【００６３】
好ましくは、洗濯機２００は、香りの強さを受け付ける。サーバ１００は、香りの強さと、洗濯する衣類の量と、に対応する洗剤または柔軟剤または芳香剤の投入量を洗濯機２００に送信する。
【００６４】
上記の実施の形態においては、洗濯機２００と通信するための通信インターフェイス１６０と、洗濯機２００に予め投入される複数種類の洗剤または柔軟剤または芳香剤の情報の入力を受け付けて、通信インターフェイス１６０を介して、それらの組み合わせ毎の調合配分を洗濯機２００に送信するとともに、それらの組み合わせに対応する香りを選択可能に洗濯機２００に出力させるプロセッサ１１０とを備えるサーバ１００が提供される。
【００６５】
上記の実施の形態においては、洗濯機２００に予め投入される複数種類の洗剤または柔軟剤または芳香剤の情報の入力を受け付けるステップと、それらの組み合わせ毎の調合配分を洗濯機２００に送信するステップと、それらの組み合わせに対応する香りを選択可能に洗濯機２００に出力させるステップと、を備えるサーバ１００の情報処理方法が提供される。
【００６６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００６７】
１        ：ネットワークシステム
１００    ：サーバ
１１０    ：ＣＰＵ
１２０    ：メモリ
１２１    ：洗剤情報
１２２    ：柔軟剤芳香剤情報
１２３    ：香りメニュー
１２４    ：機器データ
１２５    ：ユーザ設定情報
１４０    ：操作部
１６０    ：通信インターフェイス
２００    ：洗濯機
２１０    ：ＣＰＵ
２２０    ：メモリ
２３０    ：ディスプレイ
２４０    ：操作部
２６０    ：通信インターフェイス
２７０    ：スピーカ
２８０    ：マイク
２９０    ：機器駆動部
３００    ：通信端末
３１０    ：ＣＰＵ
３２０    ：メモリ
３３０    ：ディスプレイ
３４０    ：操作部
３６０    ：通信インターフェイス
３７０    ：スピーカ
３８０    ：マイク
【図１】
2019181057.tif 000003
【図２】
2019181057.tif 000004
【図３】
2019181057.tif 000005
【図４】
2019181057.tif 000006
【図５】
2019181057.tif 000007
【図６】
2019181057.tif 000008
【図７】
2019181057.tif 000009
【図８】
2019181057.tif 000010
【図９】
2019181057.tif 000011
【図１０】
2019181057.tif 000012
【図１１】
2019181057.tif 000013
【図１２】
2019181057.tif 000014
【図１３】
2019181057.tif 000015
【図１４】
2019181057.tif 000016
【図１５】
2019181057.tif 000017
【図１６】
2019181057.tif 000018
【図１７】
2019181057.tif 000019
【図１８】
2019181057.tif 000020
【図１９】
2019181057.tif 000021
【図２０】
2019181057.tif 000022